(57)【要約】【目的】意外性を持たせて個人の所有欲に訴える興趣性の向上した財布類を提供する。【構成】財布、カードケース、キーホルダー、小銭入れ、名刺入れ等の財布類において、  通常時非露出部分及び／又は視覚的に目立ち難い部分に、クロコダイル、アリゲーター、オーストリッチ、リザード、ガルーシャ、シャークスキン、パイソン、レインディア、象、リザード、シェルコードヴァン、印伝、名物裂（金襴、緞子、間道等）や古裂、紬、羽二重等の高級素材及び／又は稀少素材が配設された構成であることを特徴とする財布類である。【選択図】        図１
0003122417.tif 000002
【実用新案登録請求の範囲】
【請求項１】
財布、カードケース、キーホルダー、小銭入れ、名刺入れ等の財布類において、
通常時非露出部分及び／又は視覚的に目立ち難い部分に高級素材及び／又は稀少素材が配設された構成であることを特徴とする財布類。
【請求項２】
前記財布類が財布であり、
該財布の外面、表面、外側の如き露出部分が、カーフ、帆布、織布の如き財布類としての一般素材で形成されており、
通常時は非露出状態であって使用時に露出状態となる内面、裏面、内側の如き通常時非露出部分に高級素材及び／又は稀少素材が配設された構成であることを特徴とする請求項１に記載の財布類。
【請求項３】
前記財布類が財布であり、
該財布の外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分に高級素材及び／又は稀少素材が配設された構成であることを特徴とする請求項１に記載の財布類。
【請求項４】
前記財布類が財布であり、
該財布の外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分と、通常時は非露出状態であって使用時に露出状態となる内面、裏面、内側の如き通常時非露出部分とに、高級素材及び／又は稀少素材が配設された構成であることを特徴とする請求項１に記載の財布類。
【請求項５】
前記財布類がカードケースであり、
該カードケースの外面、表面、外側の如き露出部分が、カーフ、帆布、織布の如き財布類としての一般素材で形成されており、
通常時は非露出状態であって使用時に露出状態となる内面、裏面、内側の如き通常時非露出部分に高級素材及び／又は稀少素材が配設された構成であることを特徴とする請求項１に記載の財布類。
【請求項６】
前記財布類がカードケースであり、
該カードケースの外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分に高級素材及び／又は稀少素材が配設された構成であることを特徴とする請求項１に記載の財布類。
【請求項７】
前記財布類がカードケースであり、
該カードケースの外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分と、通常時は非露出状態であって使用時に露出状態となる内面、裏面、内側の如き通常時非露出部分とに、高級素材及び／又は稀少素材が配設された構成であることを特徴とする請求項１に記載の財布類。
【請求項８】
前記財布類がキーホルダーであり、
該キーホルダーの外面、表面、外側の如き露出部分が、カーフ、帆布、織布の如き財布類としての一般素材で形成されており、
通常時は非露出状態であって使用時に露出状態となる内面、裏面、内側の如き通常時非露出部分に高級素材及び／又は稀少素材が配設された構成であることを特徴とする請求項１に記載の財布類。
【請求項９】
前記財布類がキーホルダーであり、
該キーホルダーの外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分に高級素材及び／又は稀少素材が配設された構成であることを特徴とする請求項１に記載の財布類。
【請求項１０】
前記財布類がキーホルダーであり、
該キーホルダーの外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分と、通常時は非露出状態であって使用時に露出状態となる内面、裏面、内側の如き通常時非露出部分とに、高級素材及び／又は稀少素材が配設された構成であることを特徴とする請求項１に記載の財布類。
【請求項１１】
前記財布類が小銭入れであり、
該小銭入れの外面、表面、外側の如き露出部分が、カーフ、帆布、織布の如き財布類としての一般素材で形成されており、
通常時は非露出状態であって使用時に露出状態となる内面、裏面、内側の如き通常時非露出部分に高級素材及び／又は稀少素材が配設された構成であることを特徴とする請求項１に記載の財布類。
【請求項１２】
前記財布類が小銭入れであり、
該小銭入れの外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分に高級素材及び／又は稀少素材が配設された構成であることを特徴とする請求項１に記載の財布類。
【請求項１３】
前記財布類が小銭入れであり、
該小銭入れの外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分と、通常時は非露出状態であって使用時に露出状態となる内面、裏面、内側の如き通常時非露出部分とに、高級素材及び／又は稀少素材が配設された構成であることを特徴とする請求項１に記載の財布類。
【請求項１４】
前記財布類が名刺入れであり、
該名刺入れの外面、表面、外側の如き露出部分が、カーフ、帆布、織布の如き財布類としての一般素材で形成されており、
通常時は非露出状態であって使用時に露出状態となる内面、裏面、内側の如き通常時非露出部分に高級素材及び／又は稀少素材が配設された構成であることを特徴とする請求項１に記載の財布類。
【請求項１５】
前記財布類が名刺入れであり、
該名刺入れの外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分に高級素材及び／又は稀少素材が配設された構成であることを特徴とする請求項１に記載の財布類。
【請求項１６】
前記財布類が名刺入れであり、
該名刺入れの外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分と、通常時は非露出状態であって使用時に露出状態となる内面、裏面、内側の如き通常時非露出部分とに、高級素材及び／又は稀少素材が配設された構成であることを特徴とする請求項１に記載の財布類。
【考案の詳細な説明】
【技術分野】
【０００１】
本考案は財布類に関し、詳しくは高級素材や稀少素材を用いた財布、カードケース、キーホルダー、小銭入れ、名刺入れ等の財布類に関する。
【背景技術】
【０００２】
従来、財布類の素材としてレプタイル等の高級素材や稀少素材等の趣味性・嗜好性の高い素材を用いる場合、価格面や強度剛性面の問題があるため、財布類の全体全域全面での使用は一部の超高級品を除き行われておらず、これらの高級素材や稀少素材は、外観上、目立つ部分である外面、表面、外側の如き露出部分に用いているのが一般的である。
【０００３】
そして、外観上、目立つ露出部分以外の内面、裏側、内側の如き通常時は非露出状態である通常時非露出部分には、カーフ等の財布類の素材として一般的な素材が用いられている。
【０００４】
ところで、財布類は紙幣や硬貨等を確実に収納すると共に使用時には容易に選択取出しができるように取扱性が重要ではあるが、極めて個人的な物品であるため、趣味性・嗜好性が高く所有した際に愛着の湧くものや他とは異なる差別化されたものが常に求められている。
【０００５】
上記した高級皮革素材や稀少皮革素材等を用いた財布類もかかる趣味性・嗜好性に基づいて個々人の所有欲等を満たすために製造されてきた経緯を有している。
【０００６】
そこで、興趣性を向上させて個人の所有欲に訴求する財布類が各種提案されてきた（特許文献１〜５等参照）。
【０００７】
【特許文献１】特開２００４−２４８８８８号公報
【特許文献２】登録実用新案第３０９５０７３号公報
【特許文献３】登録実用新案第３０６４０８０号公報
【特許文献４】登録実用新案第３０５８７５２号公報
【特許文献５】実開平０６−０６１１２３号公報
【考案の開示】
【考案が解決しようとする課題】
【０００８】
特許文献１には、折畳方を変えることで露出模様（色、模様、材質、形状等）を変えることができる三つ折り型財布が記載されている。
【０００９】
特許文献２には、革と特殊なブランケット部材とを組合せた財布類が記載されている。
【００１０】
特許文献３には、体温で変色する物質を表面に持つ皮を外表面に配置させた財布類が記載されている。
【００１１】
特許文献４には、外表面に樹皮が貼着された財布類が記載されている。
【００１２】
特許文献５には、金属製箱体内に通常素材の二つ折り型財布を装着し、箱体の開閉に連動して内部の財布も開閉する構成の財布類が記載されている。
【００１３】
特許文献１〜５の技術は、外面、表面、外側等の露出部分に特徴を持たせることで興趣性を向上させようとしてるが、いずれも外観を変えた程度のこれまでの概念の範囲内の特徴であり、全体の外観を一瞥しただけで特徴点が判ってしまうので意外性が無く、個人の所有欲を訴求する効果が低いものである。
【００１４】
そこで本考案の課題は、意外性を持たせて個人の所有欲に訴える興趣性の向上した財布類を提供することにある。
【課題を解決するための手段】
【００１５】
上記課題を解決する本考案は下記構成を有する。
【００１６】
１．財布、カードケース、キーホルダー、小銭入れ、名刺入れ等の財布類において、
通常時非露出部分及び／又は視覚的に目立ち難い部分に高級素材及び／又は稀少素材が配設された構成であることを特徴とする財布類。
【００１７】
２．前記財布類が財布であり、
該財布の外面、表面、外側の如き露出部分が、カーフ、帆布、織布の如き財布類としての一般素材で形成されており、
通常時は非露出状態であって使用時に露出状態となる内面、裏面、内側の如き通常時非露出部分に高級素材及び／又は稀少素材が配設された構成であることを特徴とする上記１に記載の財布類。
【００１８】
３．前記財布類が財布であり、
該財布の外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分に高級素材及び／又は稀少素材が配設された構成であることを特徴とする上記１に記載の財布類。
【００１９】
４．前記財布類が財布であり、
該財布の外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分と、通常時は非露出状態であって使用時に露出状態となる内面、裏面、内側の如き通常時非露出部分とに、高級素材及び／又は稀少素材が配設された構成であることを特徴とする上記１に記載の財布類。
【００２０】
５．前記財布類がカードケースであり、
該カードケースの外面、表面、外側の如き露出部分が、カーフ、帆布、織布の如き財布類としての一般素材で形成されており、
通常時は非露出状態であって使用時に露出状態となる内面、裏面、内側の如き通常時非露出部分に高級素材及び／又は稀少素材が配設された構成であることを特徴とする上記１に記載の財布類。
【００２１】
６．前記財布類がカードケースであり、
該カードケースの外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分に高級素材及び／又は稀少素材が配設された構成であることを特徴とする上記１に記載の財布類。
【００２２】
７．前記財布類がカードケースであり、
該カードケースの外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分と、通常時は非露出状態であって使用時に露出状態となる内面、裏面、内側の如き通常時非露出部分とに、高級素材及び／又は稀少素材が配設された構成であることを特徴とする上記１に記載の財布類。
【００２３】
８．前記財布類がキーホルダーであり、
該キーホルダーの外面、表面、外側の如き露出部分が、カーフ、帆布、織布の如き財布類としての一般素材で形成されており、
通常時は非露出状態であって使用時に露出状態となる内面、裏面、内側の如き通常時非露出部分に高級素材及び／又は稀少素材が配設された構成であることを特徴とする上記１に記載の財布類。
【００２４】
９．前記財布類がキーホルダーであり、
該キーホルダーの外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分に高級素材及び／又は稀少素材が配設された構成であることを特徴とする上記１に記載の財布類。
【００２５】
１０．前記財布類がキーホルダーであり、
該キーホルダーの外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分と、通常時は非露出状態であって使用時に露出状態となる内面、裏面、内側の如き通常時非露出部分とに、高級素材及び／又は稀少素材が配設された構成であることを特徴とする上記１に記載の財布類。
【００２６】
１１．前記財布類が小銭入れであり、
該小銭入れの外面、表面、外側の如き露出部分が、カーフ、帆布、織布の如き財布類としての一般素材で形成されており、
通常時は非露出状態であって使用時に露出状態となる内面、裏面、内側の如き通常時非露出部分に高級素材及び／又は稀少素材が配設された構成であることを特徴とする上記１に記載の財布類。
【００２７】
１２．前記財布類が小銭入れであり、
該小銭入れの外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分に高級素材及び／又は稀少素材が配設された構成であることを特徴とする上記１に記載の財布類。
【００２８】
１３．前記財布類が小銭入れであり、
該小銭入れの外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分と、通常時は非露出状態であって使用時に露出状態となる内面、裏面、内側の如き通常時非露出部分とに、高級素材及び／又は稀少素材が配設された構成であることを特徴とする上記１に記載の財布類。
【００２９】
１４．前記財布類が名刺入れであり、
該名刺入れの外面、表面、外側の如き露出部分が、カーフ、帆布、織布の如き財布類としての一般素材で形成されており、
通常時は非露出状態であって使用時に露出状態となる内面、裏面、内側の如き通常時非露出部分に高級素材及び／又は稀少素材が配設された構成であることを特徴とする上記１に記載の財布類。
【００３０】
１５．前記財布類が名刺入れであり、
該名刺入れの外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分に高級素材及び／又は稀少素材が配設された構成であることを特徴とする上記１に記載の財布類。
【００３１】
１６．前記財布類が名刺入れであり、
該名刺入れの外面、表面、外側の如き露出部分の内、表面の如き視覚的に目立つ部分が、カーフ、帆布、織布の如き財布類としての一般素材で形成されており、
まち部分や蛇腹部分の如き視覚的に目立ち難い部分と、通常時は非露出状態であって使用時に露出状態となる内面、裏面、内側の如き通常時非露出部分とに、高級素材及び／又は稀少素材が配設された構成であることを特徴とする上記１に記載の財布類。
【考案の効果】
【００３２】
請求項１に示す考案によれば、財布、カードケース、キーホルダー、小銭入れ、名刺入れ等の財布類において、通常時非露出部分及び／又は視覚的に目立ち難い部分に高級素材及び／又は稀少素材が配設された構成により、意外性を持たせて個人の所有欲に訴える興趣性の向上した財布類を提供することができる。
【００３３】
請求項２、５、８、１１、１４に示す考案によれば、財布類の外面、表面、外側の如き露出部分が、カーフ、帆布、織布の如き財布類としての一般素材で形成されており、通常時は非露出状態であって使用時に露出状態となる内面、裏面、内側の如き通常時非露出部分に高級素材及び／又は稀少素材が配設された構成により、一瞥しただけでは一般的な素材の財布類に見えていたものが、使用時に財布類を開いた時等に初めて露出する部分に通常は目立つ部分に用いられている高級素材や稀少素材が使われていることが判るので、意外性が有り、個人の所有欲に訴える興趣性の向上した財布類とすることができる。
【００３４】
請求項３、６、９、１２、１５に示す考案によれば、財布類の外面、表面、外側の如き露出部分の内、表面の如き視覚的に目立つ部分が、カーフ、帆布、織布の如き財布類としての一般素材で形成されており、まち部分や蛇腹部分の如き視覚的に目立ち難い部分に高級素材及び／又は稀少素材が配設された構成により、通常は目立つ部分に用いられている高級素材や稀少素材が目立たない部分に使われているので、一瞥しただけでは一般的な素材の財布類に見えていたものが、手に取って間近に見て初めて目立たない部分に高級素材や稀少素材が使われていることが判るので、意外性が有り、個人の所有欲に訴える興趣性の向上した財布類とすることができる。
【００３５】
請求項４、７、１０、１３、１６に示す考案によれば、財布類の外面、表面、外側の如き露出部分の内、表面の如き視覚的に目立つ部分が、カーフ、帆布、織布の如き財布類としての一般素材で形成されており、まち部分や蛇腹部分の如き視覚的に目立ち難い部分と、通常時は非露出状態であって使用時に露出状態となる内面、裏面、内側の如き通常時非露出部分とに、高級素材及び／又は稀少素材が配設された構成により、通常は表側の目立つ部分に用いられている高級素材や稀少素材が目立たない部分や通常は露出していない部分に使われているので、一瞥しただけでは一般的な素材の財布類に見えていたものが、手に取って間近に見て、或いは使用時に財布類を開いた時等に初めて高級素材や稀少素材が使われていることが判るので、意外性が有り、個人の所有欲に訴える興趣性の向上した財布類とすることができる。
【考案を実施するための最良の形態】
【００３６】
次に、添付の図面に従って本考案を詳細に説明する。
【００３７】
図１は本考案に係る財布類の一実施例である財布の一例を示す斜視図、図２は本考案に係る財布類の他の実施例であるカードケースの一例を示す斜視図、図３は本考案に係る財布類の他の実施例であるキーホルダーの一例を示す斜視図、図４は本考案に係る財布類の他の実施例である小銭入れの一例を示す斜視図、図５は本考案に係る財布類の他の実施例である名刺入れの一例を示す斜視図、図６は図５の名刺入れのまち部分の一例を示す拡大側面図である。
【００３８】
図１において、財布１は図１（Ａ）に示すように常に露出する部分である外面、表面、外側である露出部分１Ａが、財布類として通常用いられている一般素材から形成されており、一瞥しただけでは一般的な素材の財布類に見える構成となっている。
【００３９】
通常時は非露出部分であり、使用時に財布１を開いた時に初めて露出する内面、裏面、内側である通常時非露出部分１Ｂには、図１（Ｂ）に示すように高級素材及び／又は稀少素材が配設することで、使用時に財布類を開いた時等に、通常は目立つ部分に用いられている高級素材や稀少素材が現れることで使われていることが初めて判るので、意外性が有り、個人の所有欲に訴える興趣性の向上した財布類となる。
【００４０】
高級素材及び／又は稀少素材の配設は、通常時非露出部分１Ｂの全面でも一部でもよく、実質的に全面であることが好ましい。図１に示す実施例では、カードを入れた際に隠れてしまう部分１Ｃを除いた部分、即ち、使用時に財布１を開いた時に現れる通常時非露出部分１Ｂの実質的に全面に高級且つ稀少素材であるクロコダイル革を配設している。
【００４１】
露出部分１に用いられる一般素材としては、カーフ、帆布、織布等、財布類の素材として一般的に用いられている素材が挙げられる。
【００４２】
通常時非露出部分に用いられる高級素材及び／又は稀少素材としては、クロコダイル、アリゲーター、オーストリッチ、リザード、ガルーシャ、シャークスキン、パイソン、レインディア、象、リザード、シェルコードヴァン、印伝等の皮革素材等の高級（高価格）な財布類に用いられる素材や、名物裂（金襴、緞子、間道等）や古裂、紬、羽二重等の織物素材等の高級或いは稀少な素材が挙げられる。
【００４３】
図２において、カードケース２は前記した図１の財布１と同様、図２（Ａ）に示すように露出部分２Ａが一般素材から形成されており、図２（Ｂ）に示すように通常時非露出部分２Ｂに高級素材及び／又は稀少素材が配設されている。図２に示す実施例でも前記図１に示した実施例と同様に、カードを入れた際に隠れてしまう部分２Ｃを除いた部分、即ち、使用時にカードケース２を開いた時に現れる通常時非露出部分２Ｂの実質的に全面に高級且つ稀少素材であるクロコダイル革を配設している。
【００４４】
図３において、キーホルダー３は前記した図１の財布１と同様、図３（Ａ）に示すように露出部分３Ａが一般素材から形成されており、図３（Ｂ）に示すように通常時非露出部分３Ｂに高級素材及び／又は稀少素材が配設されている。図３に示す実施例では、鍵取付具３Ｃに鍵を吊下げ固定した際に該鍵が接触すると共に該鍵によって隠れてしまう部分３Ｃを除いた部分に高級且つ稀少素材であるクロコダイル革を配設している。
【００４５】
図４において、小銭入れ４は前記した図１の財布１と同様、図４（Ａ）に示すように露出部分４Ａが一般素材から形成されており、図４（Ｂ）に示すように通常時非露出部分４Ｂに高級素材及び／又は稀少素材が配設されている。
【００４６】
図５において、名刺入れ５は前記した図１の財布１と同様、図５（Ａ）に示すように露出部分５Ａが一般素材から形成されており、図５（Ｂ）に示すように通常時非露出部分５Ｂに高級素材及び／又は稀少素材が配設されている。
【００４７】
尚、図５に示す名刺入れ５では、図６に示すように露出部分５Ａではあるが視覚的に目立ち難い部分であるまち部分５Ｃについても通常時非露出部分５Ｂと同様に高級素材及び／又は稀少素材が配設されている。まち部分５Ｃという目立たない部分に高級素材及び／又は稀少素材を配設することで、一瞥しただけでは一般的な素材の名刺入れ５に見えていたものが、手に取って間近に見て初めて高級素材及び／又は稀少素材が使われていることが判るので、意外性が有り、個人の所有欲に訴える興趣性の向上した名刺入れとなる。
【００４８】
視覚的に目立ち難い部分に高級素材及び／又は稀少素材を配設する構成は図５及び図６の名刺入れ５に限らず、前述した図１〜図４に示した財布１、カードケース２、キーホルダー３、小銭入れ４としてまち部分の如き視覚的に目立ち難い部分を有する場合には適用することができる。また、視覚的に目立ち難い部分はまち部分に限らず、蛇腹部分や底部等、その他の部分であってもよい。更に、ベルトやバンドを有する構成の財布類の場合、ベルトやバンドの定革・遊革に高級素材及び／又は稀少素材を配設してもよい。尚、ベルトやバンド自体が目立ち難い構成や大きさの場合には、該ベルトやバンド自体に高級素材及び／又は稀少素材を用いてもよい。
【００４９】
本考案に係る財布類としては、上記説明した財布、カードケース、キーホルダー、小銭入れ、名刺入れに限定されず、定期券入れ、パスポートケース、ペンケース、眼鏡ケース、携帯電話機ケース、携帯オーディオプレーヤーケース等の個人的所有に係る物品を含む。
【図面の簡単な説明】
【００５０】
【図１】本考案に係る財布類の一実施例である財布の一例を示す斜視図
【図２】本考案に係る財布類の他の実施例であるカードケースの一例を示す斜視図
【図３】本考案に係る財布類の他の実施例であるキーホルダーの一例を示す斜視図
【図４】本考案に係る財布類の他の実施例である小銭入れの一例を示す斜視図
【図５】本考案に係る財布類の他の実施例である名刺入れの一例を示す斜視図
【図６】図５の名刺入れのまち部分の一例を示す拡大側面図
【符号の説明】
【００５１】
１  財布
１Ａ  露出部分
１Ｂ  通常時非露出部分
２  カードケース
２Ａ  露出部分
２Ｂ  通常時非露出部分
２Ｃ  隠れてしまう部分
３  キーホルダー
３Ａ  露出部分
３Ｂ  通常時非露出部分
３Ｃ  鍵取付具
３Ｄ  隠れてしまう部分
４  小銭入れ
４Ａ  露出部分
４Ｂ  通常時非露出部分
５  名刺入れ
５Ａ  露出部分
５Ｂ  通常時非露出部分
５Ｃ  まち部分
【図１】
0003122417.tif 000003
【図２】
0003122417.tif 000004
【図３】
0003122417.tif 000005
【図４】
0003122417.tif 000006
【図５】
0003122417.tif 000007
【図６】
0003122417.tif 000008
【手続補正書】
【提出日】平成18年2月22日(2006.2.22)
【手続補正１】
【補正対象書類名】実用新案登録請求の範囲
【補正対象項目名】請求項１
【補正方法】変更
【補正の内容】
【請求項１】
財布類において、
通常時非露出部分及び／又は視覚的に目立ち難い部分に高級素材及び／又は稀少素材が配設された構成であることを特徴とする財布類。
【手続補正２】
【補正対象書類名】明細書
【補正対象項目名】００１６
【補正方法】変更
【補正の内容】
【００１６】
１．財布類において、
通常時非露出部分及び／又は視覚的に目立ち難い部分に高級素材及び／又は稀少素材が配設された構成であることを特徴とする財布類。
【手続補正書】
【提出日】平成18年4月12日(2006.4.12)
【手続補正１】
【補正対象書類名】実用新案登録請求の範囲
【補正対象項目名】請求項１
【補正方法】変更
【補正の内容】
【請求項１】
下記で定義される財布類において、
通常時非露出部分及び／又は視覚的に目立ち難い部分に高級素材及び／又は稀少素材が配設された構成であることを特徴とする財布類。
［財布類］
財布、カードケース、キーホルダー、小銭入れ、名刺入れ、定期券入れ、パスポートケース、ペンケース、眼鏡ケース、携帯電話機ケース、携帯オーディオプレーヤーケース等の個人的所有に係る物品
【手続補正２】
【補正対象書類名】明細書
【補正対象項目名】００１６
【補正方法】変更
【補正の内容】
【００１６】
１．下記で定義される財布類において、
通常時非露出部分及び／又は視覚的に目立ち難い部分に高級素材及び／又は稀少素材が配設された構成であることを特徴とする財布類。
［財布類］
財布、カードケース、キーホルダー、小銭入れ、名刺入れ、定期券入れ、パスポートケース、ペンケース、眼鏡ケース、携帯電話機ケース、携帯オーディオプレーヤーケース等の個人的所有に係る物品